(57)【要約】      （修正有）【課題】非力な者でも容易に布団干しが可能な移動式布団干し器を提供する。【解決手段】４本の支柱１０、２０、３０、４０と４本の脚１１を備え、脚の少なくとも１本に車輪部１２を備える移動式布団干し器１であって、車輪部は接地車輪１３と非接地車輪１４を備え、段差を超える前後で、接地車輪と非接地車輪が入れ替わる。【選択図】図１
0003224566.tif 000002
【実用新案登録請求の範囲】
【請求項１】
３本以上の脚を備え、前記脚の少なくとも１本に車輪部を備える移動式布団干し器であって、前記車輪部は接地車輪と非接地車輪を備え、段差を超える前後で、接地車輪と非接地車輪が入れ替わることを特徴とする移動式布団干し器。
【請求項２】
車輪部による移動方向が、布団の長辺方向または布団の短辺方向に固定されている請求項１に記載の移動式布団干し器。
【請求項３】
前記車輪部は、２つの接地車輪及び２つの非接地車輪を備える請求項１又は２に記載の移動式布団干し器。
【請求項４】
前記脚の少なくとも２本に車輪部を備える請求項１〜３のいずれか１項に記載の移動式布団干し器。
【請求項５】
前記車輪部における接地車輪と非接地車輪のうち、一方が室内用車輪であり、他方が室外用車輪である請求項１〜４のいずれか１項に記載の移動式布団干し器。
【考案の詳細な説明】
【技術分野】
【０００１】
本考案は、高齢者でも段差移動や布団の着脱が容易な構造の移動式布団干し器に関する。
【背景技術】
【０００２】
一般に、布団干しは、ベランダの柵や外壁に布団を掛けることや、窓枠に布団を掛けることなどの方法にて、布団を日光に浴びせることで行われる。また、テラスやバルコニーで使用する折り畳み式布団干し器も知られており、市販品も存在する。
【０００３】
特許文献１には、第１支柱と、第２支柱と、前記第１支柱と前記第２支柱のそれぞれの先端部に連結して掛け渡されている竿連結アームとを有する折り畳み式布団干し器が記載されている（図１を参照。）。また、同文献には、交差する２本の支柱の２組と、各支柱の中間部で各支柱を回転可能に連結する部材とを有するＸ字型折り畳み式布団干し器が記載されている（図５を参照。）。
【０００４】
また、折り畳み式布団干しの接地部にキャスターを備えた、移動式の折り畳み式布団干し器も知られている。例えば、特許文献２には、接地部にキャスターを備えた、Ｘ字型折り畳み式布団干し器が記載されており（図１を参照）、特許文献３には、接地部にキャスターを備えた、逆Ｙ字型折り畳み式布団干し器が記載されている（図１、図５、図７を参照）。
【先行技術文献】
【特許文献】
【０００５】
【特許文献１】実用新案登録第３０９８０３６号公報
【特許文献２】実用新案登録第３１５４４３６号公報
【特許文献３】実用新案登録第３１９３２５７号公報
【考案の概要】
【考案が解決しようとする課題】
【０００６】
さて、近年の少子高齢化により、平均年齢は上昇しており、高齢者の割合が増加している。高齢者などの非力な者にとり、布団干しといえども重労働であり、作業負荷の軽減が求められる。
【０００７】
本考案は、かかる事情に鑑みて為されたものであり、非力な者でも容易に布団干しが可能となる布団干し器を提供することを目的とする。
【課題を解決するための手段】
【０００８】
上記課題を解決するための、本考案の移動式布団干し器は、３本以上の脚を備え、前記脚の少なくとも１本に車輪部を備える移動式布団干し器であって、前記車輪部は接地車輪と非接地車輪を備え、段差を超える前後で、接地車輪と非接地車輪が入れ替わることを特徴とする。
【考案の効果】
【０００９】
本考案の移動式布団干し器は、接地車輪と非接地車輪を備え、段差を超える前後で、接地車輪と非接地車輪が入れ替わる構造であるので、室内から室外への段差を超える移動及び室外から室内への段差を超える移動が容易である。すなわち、布団を抱えて室内外に移動する必要がないため、布団干しの作業負荷が著しく軽減される。
【図面の簡単な説明】
【００１０】
【図１】実施例１の移動式布団干し器である。
【図２】実施例１の移動式布団干し器に布団を掛ける方法を示した模式図である。
【図３】実施例１の移動式布団干し器が段差を超えて移動する際における、車輪部の動きを示す模式図である。
【図４】実施例２の移動式布団干し器である。
【考案を実施するための形態】
【００１１】
以下に、本考案を実施するための最良の形態を説明する。
本考案の移動式布団干し器は、３本以上の脚を備え、前記脚の少なくとも１本に車輪部を備える移動式布団干し器であって、前記車輪部は接地車輪と非接地車輪を備え、段差を超える前後で、接地車輪と非接地車輪が入れ替わることを特徴とする。
【００１２】
本考案の移動式布団干し器は、折り畳み式であるのが好ましい。折り畳み式布団干し器としては、２本の支柱がＸ字型に交差するＸ字型折り畳み式布団干し器でもよいし、２本又は３本の支柱が逆Ｙ字型を形成する逆Ｙ字型折り畳み式布団干し器でもよく、２本の支柱が逆Ｖ字型を形成する逆Ｖ字型折り畳み式布団干し器でもよい。いずれの折り畳み式布団干し器においても、２本又は３本の支柱群同士を連結する竿が配置されており、かかる竿にて布団が支持される。
【００１３】
脚は、本考案の移動式布団干し器が自立するための土台となる部分である。脚は各支柱と一体化していてもよく、また、複数の支柱の下部と連結したものであってもよい。
【００１４】
車輪部は接地車輪と非接地車輪を備え、段差を超える前後で、接地車輪と非接地車輪が入れ替わる。段差を超える際に、接地車輪と非接地車輪の両者が段差に接しつつ、回転して移動できるため、作業者の肉体的負担が著しく軽減される。例えば、寝室にて、布団を本考案の移動式布団干し器に配置して、室内と、テラス、ベランダ又はバルコニーなどの室外との段差を、わずかな肉体的負担でスムーズに超えることができる。
【００１５】
車輪部は、脚の１本に備えられていればよいが、脚の２本、３本又は４本に備えられていてもよい。車輪部が備えられていない脚には、車輪は不要であるが、本明細書で説明する車輪部の定義に合致しないキャスターなどの車輪が備えられていてもよい。
【００１６】
各車輪部においては、少なくとも２つの車輪が必要である。各車輪部における車輪の数としては、２、３、４、５、６を例示できる。なお、車輪の数とは、同一軸で回転する車輪を１つとしてカウントする。車輪はシングルタイヤでもよいし、ダブルタイヤであってもよい。
【００１７】
車輪部による移動方向は、固定されていてもよいし、固定されていなくてもよいが、布団の長辺方向または布団の短辺方向に固定されているのが好ましい。
【００１８】
本考案の移動式布団干し器の自立安定性、移動時の安定性などを考慮すると、車輪部としては、２つの接地車輪及び２つの非接地車輪を備えるものが好ましく、さらには、２つの接地車輪及び２つの非接地車輪は、いずれも、移動方向に直列の状態で具備されているのが好ましい。
【００１９】
室内外の段差を超える際に、接地車輪と非接地車輪が入れ替わることから、これらの車輪のうち一方を室内用車輪とし他方を室外用車輪とするのが合理的である。この技術思想を実現させるためには、各車輪部における車輪の数を偶数にすることが好ましい。この技術思想により、室外で接地した車輪が室内に接地することを抑制できるため、室外で車輪に付着した土などの汚れが室内の床に触れることを抑制できる。例えば、室内用車輪と室外用車輪の色を別個にすることや、室内用車輪である旨と室外用車輪である旨の表示を付すことが好ましい。
【００２０】
本考案の移動式布団干し器を構成する部材の材料としては、それぞれの機能に適した材料を適宜適切に選択すればよい。
【実施例】
【００２１】
以下、実施例を通じて本考案をさらに詳細に説明する。これら実施例は本考案をより具体的に説明するためのものであって、本考案の範囲はこれら実施例に限定されない。本考案の要旨を逸脱しない範囲において、当業者が行い得る変更、改良等を施した種々の形態にて実施することができる。例えば、実施例１及び実施例２で示された技術事項を相互に導入することもできる。
【００２２】
（実施例１）
実施例１の移動式布団干し器１の模式図を図１に示す。
実施例１の移動式布団干し器１は、４本の支柱とそれぞれ一体化された４本の脚を有している。まず、全体の構造について説明すると、実施例１の移動式布団干し器１は、支柱１０及び支柱２０からなる支柱群の１組と、支柱３０及び支柱４０からなる支柱群の１組を備える。支柱１０と支柱２０は上端部を連結部材７０で回動可能に連結されており、さらに、折り曲げ可能な支持部材６０でそれぞれの支柱の中心付近を連結されている。支柱１０と支柱２０は、全体として、逆Ｖ字型になっている。支柱３０と支柱４０も同様に、上端部を連結部材７１で回動可能に連結されており、さらに、折り曲げ可能な支持部材６１でそれぞれの支柱の中心付近を連結されている。支柱３０と支柱４０も、全体として、逆Ｖ字型となっている。なお、使用後には、支持部材６０及び支持部材６１を折り曲げることにより、移動式布団干し器１を折り畳むことができる。また、それぞれの支柱は２段階に伸縮可能な構造となっているため、布団の大きさに応じて伸縮することができるし、使用後には、コンパクトに収容することができる。
【００２３】
支柱１０及び支柱２０からなる支柱群の１組と、支柱３０及び支柱４０からなる支柱群の１組は、それぞれの上端部を、竿５０で連結されている。また、支柱１０及び支柱３０はそれぞれの一体化された脚の付近で竿５１にて連結されており、支柱２０及び支柱４０も同様にそれぞれの一体化された脚の付近で竿５２にて連結されている。そして、竿５０、竿５１及び竿５２はいずれも無段階に伸縮可能な構造となっているため、布団の大きさに応じて伸縮することができるし、使用後には、コンパクトに収容することができる。
【００２４】
本考案の特徴部分である脚について説明する。
支柱１０と一体化された脚１１を例にすると、脚１１は、車輪部１２を備えており、車輪部１２は２つの接地車輪１３と２つの非接地車輪１４を備えている。接地車輪１３及び非接地車輪１４はいずれもシングルタイヤであって、合成ゴム製であり、径は１０ｃｍである。図１の状態での白色の接地車輪１３が室内用車輪であり、黒色の非接地車輪１４が室外用車輪である。
接地車輪１３及び非接地車輪１４は、それぞれの車軸を中心軸として円滑に回転可能である。また、車輪部１２自体も車軸１５を中心軸として回転可能となっている。
【００２５】
実施例１の移動式布団干し器１の好適な使用方法について説明する。
図２の左上に示すとおり、室内に広げられた布団１００の上に、移動式布団干し器１を、脚が布団の短辺の外に出る状態で、横倒しに配置する。次いで、図２の右上に示すとおり、移動式布団干し器１に接していなかった側の布団１００を折り曲げることにより、横倒しの移動式布団干し器１の上に布団１００を配置する。そして、図２の下側に示すとおり、布団１００が配置された移動式布団干し器１を起こして、４つの脚に具備される室内用接地車輪にて全体を支持させる。
【００２６】
図３には、布団１００が配置された移動式布団干し器１が、室内２００から窓枠２０１を超えてベランダ２０２へ移動される様子を示す。図３における白抜き矢印は移動式布団干し器１の進行方向である。布団１００が配置された移動式布団干し器１の進行方向は、布団の短辺方向に固定されている。
図３の左上では、室内２００を進行中の移動式布団干し器１の前側の室内用接地車輪が、窓枠２０１に当たった状態を示す。図３の右上では、進行方向に対して前側の車輪部が車軸を中心軸として回転し、窓枠２０１の上部に乗り上げる様子を示す。なお、移動式布団干し器１の車輪部は、接地車輪が接地車輪の半径以上の段差に当たった場合に、車輪部の車軸を中心軸として回転可能となる。
図３の中央では、進行方向に対して前側の車輪部が、ベランダ２０２に出た様子を示す。ここで、前側の車輪部においては、室内用車輪が非接地車輪になり、室外用車輪が接地車輪になっている。すなわち、段差を超える前後で、接地車輪と非接地車輪が入れ替わったことがわかる。
図３の左下では、進行方向に対して後側の車輪部が車軸を中心軸として回転し、窓枠２０１の上部に乗り上げる様子を示す。そして、図３の右下では、進行方向に対して後側の車輪部が、ベランダ２０２に出た様子を示す。進行方向に対して後側の車輪部についても、前側の車輪部と同様に、段差を超える前後で、接地車輪と非接地車輪が入れ替わったことがわかる。
【００２７】
（実施例２）
実施例２の移動式布団干し器２の模式図を図４に示す。実施例２の説明は、主に、実施例１と異なる箇所について行う。
まず、全体の構造について説明すると、実施例２の移動式布団干し器２は、支柱１０及び支柱２０からなる支柱群の１組と、支柱３０及び支柱４０からなる支柱群の１組を備える。支柱１０と支柱２０は中央部を連結部材７０で回動可能に連結されており、さらに、折り曲げ可能な支持部材６０でそれぞれの支柱を連結されている。支柱１０と支柱２０は、全体として、Ｘ字型になっている。支柱３０と支柱４０も同様に、中央部を連結部材７１で回動可能に連結されており、さらに、折り曲げ可能な支持部材６１でそれぞれの支柱を連結されている。支柱３０と支柱４０も、全体として、Ｘ字型となっている。
【００２８】
実施例２の移動式布団干し器２は、支柱２０に一体化された脚、支柱４０に一体化された脚、並びに、支柱１０及び支柱３０の両者と連結して一体化された１本の脚の合計３本の脚を有している。
【００２９】
支柱１０及び支柱２０からなる支柱群の１組と、支柱３０及び支柱４０からなる支柱群の１組は、それぞれの中央部を、竿５０で連結されている。支柱２０及び支柱４０は、上端部で竿５１にて連結されており、さらに、支柱２０及び支柱４０は、それぞれに一体化された脚の付近で竿５４にて連結されている。支柱１０及び支柱３０は、上端部で竿５２にて連結されており、さらに、支柱１０及び支柱３０は、脚の部分にて竿５３で連結されている。そして、竿５３の中央部には、車輪部１２を備えており、車輪部１２は１つの接地車輪１３と１つの非接地車輪１４を備えている。接地車輪１３及び非接地車輪１４はいずれもダブルタイヤである。車輪部１２及び竿５３の中心には、車輪部１２自体の回転を抑制する回転制御部１６が備えられている。回転制御部１６は、竿５３に固着されている黒色の係止部と、車輪部１２に具備される半球状の凸部からなるものであり、通常時に車輪部１２が自由回転しないようになっている。凸部は弾性部材を内部に有しており、係止部から押圧を受けた際に、車輪部１２の内部に埋没可能な構造となっている。よって、段差に当たった際には、凸部が係止部から圧力を受けて車輪部１２の内部に埋没することで、車輪部１２が回転し、段差を超える前後で、接地車輪と非接地車輪が入れ替わる。
【００３０】
移動式布団干し器２の進行方向は、布団の長辺方向に固定されている。支柱２０に一体化された脚の接地部付近及び支柱４０に一体化された脚の接地部付近には、把持部８０及び把持部８１が備えられている。移動式布団干し器２の移動時には、把持部８０及び把持部８１を手で持ち、農耕用の一輪車の要領で、布団の長辺方向に進行することができる。
【符号の説明】
【００３１】
１、２  移動式布団干し器、    １０、２０、３０、４０  支柱    １１  脚、    １２  車輪部、    １３  接地車輪、    １４  非接地車輪、    １５  車軸、    １６  回転制御部、    ５０、５１、５２、５３、５４  竿、    ６０、６１  支持部材、    ７０、７１  連結部材、    ８０、８１  把持部、    １００  布団、    ２００  室内、    ２０１  窓枠、    ２０２  ベランダ
【図１】
0003224566.tif 000003
【図２】
0003224566.tif 000004
【図３】
0003224566.tif 000005
【図４】
0003224566.tif 000006